(57)【要約】【課題】行方不明となったペットの目撃情報を、分かりやすく飼い主に通知する。【解決手段】目撃情報登録手段１１は、ペットを目撃した目撃場所を含む目撃情報を、目撃情報提供端末２０−１〜２０−ｎより受け取り登録し、地図選出手段１２は、目撃場所に応じた地図を選出し、提供情報作成手段１３は、地図上に目撃場所を特定するマークを施した提供情報を作成し、通知手段１４は提供情報を通知する。【選択図】        図１
2004287895.tif 000002
【特許請求の範囲】
【請求項１】
行方不明になったペットの目撃情報を管理して通知する目撃情報通知プログラムにおいて、
コンピュータを、
前記ペットを目撃した目撃場所を含む前記目撃情報を、目撃情報提供端末より受け取り登録する目撃情報登録手段、
前記目撃場所に応じて地図を選出する地図選出手段、
前記地図上に前記目撃場所を特定するマークを施した提供情報を作成する提供情報作成手段、
前記提供情報を通知する通知手段、
として機能させることを特徴とする目撃情報通知プログラム。
【請求項２】
前記通知手段は、所定時間経過しても、前記目撃情報を受け取らない場合には、前記目撃情報がない旨を通知することを特徴とする請求項１記載の目撃情報通知プログラム。
【請求項３】
前記提供情報作成手段は、同一依頼に対する前記目撃情報が複数ある場合は、同一の前記地図上に、複数の前記目撃場所を特定した前記マークを施した前記提供情報を、作成することを特徴とする請求項１記載の目撃情報通知プログラム。
【請求項４】
前記提供情報作成手段は、複数の前記マークを施した場合は、目撃日時順に区別し、前記ペットの予想移動経路を表示可能な提供情報を作成することを特徴とする請求項３記載の目撃情報通知プログラム。
【請求項５】
行方不明になったペットの目撃情報を管理して通知する目撃情報通知方法において、
前記ペットを目撃した目撃場所を含む前記目撃情報を、目撃情報提供端末より受け取り登録し、
前記目撃場所に応じて地図を選出し、
前記地図上に前記目撃場所を特定するマークを施した提供情報を作成し、
前記提供情報を通知する
ことを特徴とする目撃情報通知方法。
【発明の詳細な説明】
【０００１】
【発明の属する技術分野】
本発明は、行方不明になったペットの目撃情報を管理して通知する目撃情報通知プログラム及び、目撃情報通知方法に関する。
【０００２】
【従来の技術】
可愛がっていたペットが行方不明になってしまった場合、張り紙を作って近所の塀や電柱に貼り付け、世間に捜索依頼を行ったり、情報提供を呼びかけたりすることが一般に行われている。
【０００３】
また、従来、ペットが行方不明になった場合に捜索する手段を増やす目的で、ペットの首輪などに認識票を取り付けたり、音声出力装置を取り付けたりして、ペットの発見の可能性を高める工夫がなされている。しかし、物理的な付帯物（例えば首輪）にそのような工夫をしてペットに取り付ける方法では、事故によってその付帯物が外れてしまう場合や、故障した場合に対応ができなくなってしまうという欠点がある。
【０００４】
また、近年のインターネット技術の発達に伴い、インターネットを用いて迷いペットを管理するシステムなどが提供されている（例えば、特許文献１参照）。
【０００５】
【特許文献１】
特開２００２−１４９８４７（段落番号〔０００９〕〜〔００３５〕，第１図）
【０００６】
【発明が解決しようとする課題】
しかし、現状ではペットが行方不明になった場合に情報提供を呼びかける場所（サイトなど）が少なく、またあったとしても、捜索の依頼内容や提供された目撃情報などを整理し、管理することが難しかった。
【０００７】
また、上記のような従来技術では、行方不明となったペットの情報提供の呼びかけが、本当に皆に伝わっているのか確認する手段がなく、飼い主としては、呼びかけ後もペットが見つかるまでは安心できないという問題があった。
【０００８】
本発明はこのような点に鑑みてなされたものであり、行方不明となったペットの目撃情報を、分かりやすく飼い主に通知可能な目撃情報通知プログラムを提供することを目的とする。
【０００９】
また、本発明の他の目的は、行方不明となったペットの目撃情報を、分かりやすく飼い主に通知可能な目撃情報通知方法を提供することである。
【００１０】
【課題を解決するための手段】
本発明では上記課題を解決するために、コンピュータを、図１に示すように、ペットを目撃した目撃場所を含む目撃情報を目撃情報提供端末２０−１、２０−２、…、２０−ｎより受け取り登録する目撃情報登録手段１１、目撃場所に応じて地図を選出する地図選出手段１２、地図上に目撃場所を特定するマークを施した提供情報を作成する提供情報作成手段１３、提供情報を通知する通知手段１４、として機能させるための目撃情報通知プログラムが提供される。
【００１１】
このような手段としてコンピュータを機能させることで、コンピュータは目撃情報通知サーバ１０として機能する。この目撃情報通知サーバ１０において、目撃情報登録手段１１は、ペットを目撃した目撃場所を含む目撃情報を、目撃情報提供端末２０−１〜２０−ｎより受け取り登録し、地図選出手段１２は、目撃場所に応じた地図を選出し、提供情報作成手段１３は、地図上に目撃場所を特定するマークを施した提供情報を作成し、通知手段１４は提供情報を通知する。
【００１２】
【発明の実施の形態】
以下本発明の実施の形態を図面を参照して説明する。
図１は、本発明の実施の形態の原理を示す原理構成図である。
【００１３】
本発明は、目撃情報通知サーバ１０と、ペットを捜索する捜索者が所有する目撃情報提供端末２０−１、２０−２、…、２０−ｎと、行方不明中のペットに関する目撃情報の提供を依頼する情報依頼端末２１とが、ネットワーク３０に接続された構成において実現される。
【００１４】
ここで、目撃情報通知サーバ１０は、ペットを目撃した目撃場所を含む目撃情報を、ネットワーク３０を介して、目撃情報提供端末２０−１、２０−２、…、２０−ｎより受け取って登録する目撃情報登録手段１１と、目撃場所に応じた地図を選出する地図選出手段１２と、地図上に目撃場所を特定するマークを施した提供情報を作成する提供情報作成手段１３と、提供情報を、ネットワーク３０を介して情報依頼端末２１に通知する通知手段１４とを有する。さらに、目撃情報通知サーバ１０は、登録された目撃情報を格納する目撃情報データベース１１ａと、地図情報が格納された地図情報データベース１２ａと、提供情報作成手段１３によって作成された提供情報を格納する提供情報データベース１３ａとを有する。
【００１５】
図１において、目撃情報提供端末２０−２より、依頼のあった行方不明中のペットの目撃場所を含む目撃情報が、ネットワーク３０を介して目撃情報通知サーバ１０に通知されると、目撃情報登録手段１１では、目撃情報を目撃情報データベース１１ａに登録する。
【００１６】
次に、地図選出手段１２では、行方不明中のペットの目撃場所に対応した地図を、地図情報データベース１２ａより選出する。地図が選出されると、次に、提供情報作成手段１３では、その地図上に目撃場所を特定するマークを施した提供情報を作成する。作成された提供情報は、提供情報データベース１３ａに格納され、その後、通知手段１４により、ネットワーク３０を介して、情報依頼端末２１に送信する。
【００１７】
これによって、情報依頼端末２１には、例えば、通知された提供情報が画面２１ａのように表示される。この図では、×印で示したようにペットの目撃場所がマークされている。
【００１８】
上記のようにすることによって、飼い主は、ペットの目撃場所がマークされた地図をもとに、自らの手で捜索する機会が得られる。
次に本発明の実施の形態の詳細を説明する。
【００１９】
図２は、本発明の実施の形態の構成図である。
本発明は、図２のような、行方不明ペット捜索支援システムに適用される。
行方不明ペット捜索支援システムは、行方不明ペット捜索支援サーバ１００、利用者端末２００−１、２００−２、…、２００−ｎ、情報提供依頼先端末２１０−１、２１０−２、…、２１０−ｎが、インターネット３００に接続された構成となる。
【００２０】
利用者端末２００−１〜２００−ｎは、図１では、情報依頼端末２１に相等する。
また、情報提供依頼先端末２１０−１〜２１０−ｎは、図１では、目撃情報提供端末２０−１〜２０−ｎに相等する。情報提供依頼先端末２１０−１〜２１０−ｎは、例えば、保健所や獣医、ペットショップ、警察または、一般人が有する端末であり、予め情報提供依頼先として登録された端末である。
【００２１】
利用者端末２００−１〜２００−ｎと、情報提供依頼先端末２１０−１〜２１０−ｎは、例えば、ＷＷＷ（Ｗｏｒｌｄ  Ｗｉｄｅ  Ｗｅｂ）閲覧機能（ブラウザ）を備えたＰＣ（パーソナルコンピュータ）である。
【００２２】
なお、利用者端末２００−１〜２００−ｎと、情報提供依頼先端末２１０−１〜２１０−ｎは、区別して図示されているが、利用者端末２００−１〜２００−ｎも、情報提供依頼先として登録されていれば、情報提供依頼先端末２１０−１〜２１０−ｎとして機能する。
【００２３】
行方不明ペット捜索支援サーバ１００は、コミュニティ部１１０と、共有データベース１２０と、ペット捜索支援部１３０と、から構成される。
コミュニティ部１１０は、Ｗｅｂ上で利用者同士のコミュニケーションを行うためのサイトを提供する。コミュニティ部１１０は、利用者情報登録手段１１１と、コミュニケーション手段１１２と、広告情報登録／更新手段１１３と、課金情報更新手段１１４と、を有する。
【００２４】
利用者情報登録手段１１１は、利用者端末２００−１〜２００−ｎからの、利用者情報（ペット情報を含む）を、例えば、利用者が、行方不明ペット捜索支援サーバ１００が提供するＷｅｂページ上で入力することにより、受け取って登録する。
【００２５】
コミュニケーション手段１１２は、利用者同士のコミュニケーションの場（例えば、Ｗｅｂページ上の掲示板や会議室など）を管理する。
広告情報登録／更新手段１１３は、情報提供依頼先端末２１０−１〜２１０−ｎが、Ｗｅｂページに掲載する広告情報の登録、または広告情報の更新を行う。
【００２６】
課金情報更新手段１１４は、広告情報を更新した際などに広告料を更新する。
また、共有データベース１２０は、利用者情報登録手段１１１で受け取った、利用者情報などを格納する利用者情報データベース１２１と、広告情報登録／更新手段１１３で受け取った広告情報、及び課金情報更新手段１１４で更新された課金情報などを格納する情報提供依頼先情報データベース１２２とから構成される。
【００２７】
ペット捜索支援部１３０は、図１で示した、目撃情報通知サーバ１０の機能を有する。詳細な構成については後述する。
また、行方不明ペット捜索支援サーバ１００は、上記の機能のほかに、図示を省略したが、インターネット３００に接続する手段、Ｗｅｂページを送信する手段などを有する。
【００２８】
図３は、行方不明ペット捜索支援サーバのハードウェア構成例である。
行方不明ペット捜索支援サーバ１００は、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ＨＤＤ（Ｈａｒｄ  Ｄｉｓｋ  Ｄｒｉｖｅ）１０４、グラフィック処理部１０５、入力Ｉ／Ｆ（Ｉｎｔｅｒｆａｃｅ）１０６及び通信Ｉ／Ｆ１０７などによって構成され、これらはバス１０８を介して相互に接続されている。
【００２９】
ここで、ＣＰＵ１０１は、ＨＤＤ１０４に格納されているプログラムに応じて装置の各部を制御する。
ＲＯＭ１０２は、ＣＰＵ１０１が実行する基本的なプログラムやデータを格納している。
【００３０】
ＲＡＭ１０３は、ＣＰＵ１０１が実行途中のプログラムや、演算途中のデータを一時的に格納する。
ＨＤＤ１０４は、ＣＰＵ１０１が実行するＯＳ（Ｏｐｅｒａｔｉｎｇ  Ｓｙｓｔｅｍ）や、アプリケーションプログラムが格納される。そのほか、図２で示した利用者情報データベース１２１や情報提供依頼先情報データベース１２２などの、データが格納される。
【００３１】
グラフィック処理部１０５には、ディスプレイなどの表示装置１０５ａが接続されており、ＣＰＵ１０１からの描画命令に従って、表示装置１０５ａの画面上に画像を表示させる。
【００３２】
入力Ｉ／Ｆ１０６には、マウス１０６ａやキーボード１０６ｂが接続されており、これらにより入力された情報を受信し、バス１０８を介してＣＰＵ１０１に送信する。
【００３３】
通信Ｉ／Ｆ１０７は、インターネット３００に接続され、データの送受信を行う。
以上のようなハードウェア機能によって、本実施の形態の処理機能を実現することができる。
【００３４】
なお、利用者端末２００−１〜２００−ｎ及び、情報提供依頼先端末２１０−１〜２１０ｎも、同様の構成であるので説明を省略する。
以下図２を用いて、ペットが行方不明となる以前（以下通常時と呼ぶ）の処理を説明する。
【００３５】
利用者は、自身の利用者端末２００−１〜２００−ｎを用いて、インターネット３００に接続して、行方不明ペット捜索支援サーバ１００が提供するＷｅｂサイトにアクセスする。その後、自分の情報とペットの情報を通知し、これを登録する。
【００３６】
利用者情報登録手段１１１では、利用者端末２００−１〜２００−ｎから、利用者情報を受信して、利用者情報データベース１２１に格納して登録する。
図４、５は、利用者情報データベースに格納された利用者情報の例を示す図である。
【００３７】
利用者情報データベース１２１には、例えば、図４のように、管理番号、利用者の氏名、利用者の所在地、電話番号、ｅ−ｍａｉｌアドレスの他、登録するペット情報として、ペットネーム、ペット種別、サイズ、色、その他の特徴と、登録するペットの画像ファイル（例えばＧＩＦ（Ｇｒａｐｈｉｃｓ  Ｉｎｔｅｒｃｈａｎｇｅ  Ｆｏｒｍａｔ）形式）が格納される。また、図５のように、行方不明になったペットの情報提供依頼（詳しくは後述する）に対する、情報提供依頼料（ここでは、１回の依頼当たり２００円としている）、依頼回数、さらには、備考として登録するペットに病歴があるかないかなどの情報が格納される。
【００３８】
利用者は、他の利用者と、コミュニケーション手段１１２が管理するＷｅｂ上の掲示板で、情報の交換を行う。その際、広告情報登録／更新手段１１３で、情報提供依頼先情報データベース１２２に格納された、情報提供依頼先端末２１０−１〜２１０−ｎの広告が表示される。
【００３９】
図６、７は、情報提供依頼先情報データベースに格納された情報提供依頼先情報の例を示す図である。
情報提供依頼先情報データベース１２２には、例えば、図６のように、このデータベース上での管理番号、店舗名（ここは必ずしも店舗でなくともよい）、所在地、担当者、職業、ｅ−ｍａｉｌアドレス及び電話番号が格納される。さらに図７のように、行方不明ペットの目撃情報の情報提供回数、広告したい文言などの広告情報、広告更新履歴、課金情報更新手段１１４で設定された広告料及び、備考などが格納される。
【００４０】
なお、ここで示した情報提供回数が多いほど、課金情報更新手段１１４で設定する広告料を値引きするようにしてもよい。
以上説明したような、コミュニティ部１１０の機能により、通常時はコミュニティサイトとして機能し、ペット愛好家の間だけではなく、ペット関連の業者としてもニーズもいち早く把握できる。またビジネス広告を掲載することによって、多くの情報を利用者に伝えることが可能である。
【００４１】
次に、ペット捜索支援部１３０の詳細を説明する。
図８は、ペット捜索支援部の詳細を説明する構成図である。
ペット捜索支援部１３０は、情報提供依頼受付手段１３１と、課金情報更新手段１３２と、情報提供依頼先選出手段１３３と、経過時間監視手段１３４と、情報提供依頼手段１３５とからなる情報提供依頼部を有する。さらに、目撃情報登録手段１３６と、地図選出手段１３７と、マッピング情報作成手段１３８と、情報登録手段１３９と、経過時間監視手段１４０と、目撃情報通知手段１４１と、からなる目撃情報通知部を有する。また、捜索結果を登録する捜索結果登録手段１４２と、情報提供依頼先を登録または更新する情報提供依頼先登録／更新手段１４３と、地図情報を更新する地図情報更新手段１４４と、を有する。
【００４２】
まず、情報提供依頼部について説明する。
情報提供依頼部において、情報提供依頼受付手段１３１は、ペットが行方不明になった際に、利用者端末２００−１〜２００−ｎからの情報提供依頼を受け付け、依頼内容情報データベース１５１に格納する。
【００４３】
課金情報更新手段１３２は、情報提供の利用料を利用者に課すために、利用者情報データベース１２１の課金情報を更新する。例えば、図５で示したような利用者情報データベース１２１の例において、情報提供依頼料及び依頼回数を更新する。
【００４４】
情報提供依頼先選出手段１３３は、利用者端末２００−１〜２００−ｎからの情報提供依頼と、後述の経過時間に応じて、情報提供依頼先情報データベース１２２に登録されている情報提供依頼先を選出する。
【００４５】
経過時間監視手段１３４は、利用者からの依頼内容が、依頼内容情報データベース１５１に登録されてからの経過時間を監視する。
情報提供依頼手段１３５は、情報提供依頼先選出手段１３３で選出された情報提供依頼先の情報提供依頼先端末に、例えば、電子メールである情報提供依頼メールｍ１を作成して送信し、行方不明になったペットの情報提供を依頼する。
【００４６】
以下、情報提供依頼部での処理の流れを、具体的な例を用いて説明する。
図９、１０は、情報提供依頼の処理の流れを示すフローチャートである。
情報提供依頼受付処理が開始すると、情報提供依頼受付手段１３１では、利用者端末２００−１〜２００−ｎから、行方不明になったペットの情報提供を呼びかける依頼を受け付ける。情報提供依頼は、例えば、行方不明ペット捜索支援サーバ１００が提供するＷｅｂページ上に表示される入力フォームに記入することによって行われる（Ｓ１０）。
【００４７】
図１１は、情報提供依頼入力フォームの例である。
図のように、会員番号と、行方不明になった日時、行方不明になった場所、依頼内容、特記事項、目撃情報の配布を希望する時間間隔を記載させるような入力フォームを提供する。
【００４８】
ここで、会員番号は、例えば、図４で示したような利用者情報データベース１２１で管理されている、登録済みの管理番号である。
次に、受け取った情報提供依頼を依頼内容情報データベース１５１に登録する（Ｓ１１）。この際、登録時刻も、依頼内容情報データベース１５１に登録する（Ｓ１２）。
【００４９】
図１２、１３は、依頼内容情報データベースが管理する依頼内容情報の例である。
依頼内容情報データベース１５１には、図１２のように、このデータベース上での管理番号と、依頼日時（登録時刻）、依頼者及びペット情報、依頼者のｅ−ｍａｉｌアドレス、行方不明場所、依頼内容が格納される。
【００５０】
ここで、依頼日時には、分および秒も記載される。なお、行方不明場所が分からない場合は、利用者の住所となる。さらに、依頼内容情報データベース１５１には、図１３のように、行方不明日時、その他特記事項、捜索状況、希望配布間隔（単位は時間）などが登録される。
【００５１】
次に、課金情報更新手段１３２で、情報提供の利用料を利用者に課すために、利用者情報データベース１２１の課金情報を更新する。例えば、図５で示したような利用者情報データベース１２１の例において、情報提供依頼料を更新する（Ｓ１３）。
【００５２】
次に、情報提供依頼先選出手段１３３により、情報提供依頼先の選出処理を行う。その際、まず、依頼内容情報データベース１５１に登録された依頼内容情報から、行方不明場所を抽出する（Ｓ１４）。その後、依頼先範囲見直し回数を示すカウンタ値ｎを１に設定する（Ｓ１５）。次に、カウンタ値ｎが１か否かを判断する。ここで、１回目の依頼先選出であれば、ｎ＝１となるので、ステップＳ１８に進み、２回目以降の依頼先選出であれば、ｎ≧２となり、ステップＳ１７に進む（Ｓ１６）。
【００５３】
ステップＳ１７については後述する。
情報提供依頼先の選出は、ステップＳ１４の処理で抽出した、ペットの行方不明場所に近い所在地にいる情報提供依頼先を選出することで行われる。この際、情報提供依頼先情報データベース１２２に登録されている情報提供依頼先の、所在地が参照される（Ｓ１８）。
【００５４】
情報提供依頼先が選出されると、情報提供依頼手段１３５は、依頼内容情報データベース１５１に登録された依頼内容と、その依頼を行った利用者の情報が格納された利用者情報データベース１２１を参照して、情報提供依頼メールｍ１を作成し（Ｓ１９）、選出された情報提供依頼先端末２１０−１〜２１０−ｎのｅ−ｍａｉｌアドレス宛にこれを送信する（Ｓ２０）。
【００５５】
図１４は、情報提供依頼メールの例である。
この図のように、情報提供依頼メールｍ１には、例えば、情報依頼者名、依頼内容、行方不明日時、行方不明場所、ペット情報、特記事項などが記載される。さらに、行方不明になったペットの写真が見たい場合は、図のように情報提供依頼メールｍ１に記載されたアドレスにアクセスすることで、Ｗｅｂ上で利用者情報データベース１２１が管理している行方不明ペットの写真を参照できるようにしている。
【００５６】
次に、経過時間監視手段１３４で、登録時刻からの経過時間を測定し、経過時間を前述のカウンタ値ｎで割った値が、所定の時間、例えば、２８８０分（４８時間）に達したか否かを判断する。ここで、２８８０分に達した場合は、ステップＳ２２に進み、達しない場合は、ステップＳ２１を繰り返す（Ｓ２１）。
【００５７】
経過時間が所定時間に達した場合、カウンタ値を１カウントアップする（Ｓ２２）。
次に、依頼内容情報データベース１５１を参照して、例えば、図１３に示したように記された、捜索状況を確認する。ここで捜索状況が“発見”となっている場合、もしくは、カウンタ値ｎが所定の値、例えば、“ｎ＝４”（３回の依頼先範囲見直し済み）に達した場合、情報提供依頼受付処理を終了し、それ以外は、ステップＳ１６に戻る（Ｓ２３）。
【００５８】
ここで、ステップＳ１７の処理について説明する。
ステップＳ１７では、依頼先範囲の見直しを行う。例えば、１回目の情報提供依頼メールｍ１を、行方不明場所の半径１０ｋｍ以内に存在する情報提供依頼先に送るとした場合、所定時間（例えば４８時間）経過後に、再び送信する場合には、行方不明場所の半径２０ｋｍ以内に存在する情報提供依頼先に送るというように、依頼先範囲を徐々に広げていく。これは、ペットが、いつまでも同一地区に留まっていることはまれであるので、他の地区へ移動してしまっても、目撃情報を得ることが可能なようにするためである。
【００５９】
上記のようにして、情報提供依頼部では、情報提供依頼先に行方不明になったペットの情報提供を依頼する。
次に、目撃情報通知部について説明する。
【００６０】
目撃情報通知部において、目撃情報登録手段１３６は、情報提供依頼先端末２１０−１〜２１０−ｎからの目撃情報を受け付け、これを目撃情報データベース１５２に登録する。
【００６１】
地図選出手段１３７は、目撃情報より、目撃場所を抽出して、その目撃場所に応じた地図を地図情報データベース１５４から選出する。
マッピング情報作成手段１３８は、地図選出手段１３７により、選出された地図上に、目撃場所を特定するマークを施す処理を行う。
【００６２】
情報登録手段１３９は、マッピング情報作成手段１３８で作成した情報を、利用者への提供情報として、提供情報データベース１５３に登録する。
経過時間監視手段１４０は、目撃情報通知メールｍ２を送信してからの経過時間を監視する。
【００６３】
目撃情報通知手段１４１は、提供情報データベース１５３に格納された提供情報をもとに、目撃情報通知メールｍ２を作成し、情報提供依頼のあった利用者端末２００−１〜２００−ｎに送信する。
【００６４】
以下、目撃情報通知部での処理の流れを、具体的な例を用いて説明する。
図１５、１６は、目撃情報通知の処理の流れを示すフローチャートである。
情報提供依頼先端末２１０−１〜２１０−ｎから目撃情報を受けとると（Ｓ３０）、目撃情報登録手段１３６は、目撃情報データベース１５２に目撃情報を登録する（Ｓ３１）。
【００６５】
図１７は、目撃情報入力フォームの例である。
目撃情報入力フォームは、例えば、Ｗｅｂページ上に表示され、情報提供依頼先端末２１０−１〜２１０−ｎは、ここに、例えば、情報提供依頼先情報データベース１２２に登録されている管理番号（図では自身の会員番号）、目撃した行方不明ペットの情報提供依頼に割り当てられた依頼内容管理番号（依頼内容情報データベース１５１の管理番号）、目撃した日時（例えば半角で年（西暦）／月／日の順に入力）、目撃した場所（例えば、市町村名や何丁目かを入力）、目撃内容などを入力する。
【００６６】
このような、目撃情報入力フォームは、行方不明ペット捜索支援サーバ１００が提供するＷｅｂサイトにアクセスして、目撃したペットの依頼情報を情報提供者が自分で検索して、依頼内容管理番号を入力するようにしてもよいが、前述の情報提供依頼メールｍ１から、目撃情報入力フォームを表示するＷｅｂページに直接アクセスできるようにして、依頼内容管理番号が自動的に入力されるようにしてもよい。
【００６７】
図１８は、目撃情報データベースで管理される目撃情報の例である。
ここには、図１７で示したような目撃情報入力フォームによって入力された目撃情報が格納される。例えば、目撃情報の管理番号、依頼内容情報（図１７では依頼内容管理番号に相等する）、目撃場所、目撃日時、目撃内容及び関連情報提供依頼先情報番号（図１７の会員番号に相等する）の順に、目撃情報ごとに格納される。
【００６８】
次に、目撃情報データベース１５２に格納された、目撃情報から、目撃場所を抽出する（Ｓ３２）。さらに、入力された目撃情報のうち、依頼内容の管理番号が、依頼内容情報データベース１５１に存在するか否かを判断する。ここで、依頼内容の管理番号があればステップＳ３４の処理に進み、なければエラー処理（Ｓ５３）を行い、処理を終了する（Ｓ３３）。
【００６９】
依頼内容の管理番号がある場合は、フラグｆを０とする（Ｓ３４）。このフラグｆは、同一依頼に対して新たな目撃情報が入力されたタイミングでｆ＝０になる。ｆ＝１になる場合については後述する。
【００７０】
続いて、図１８で示したような、目撃情報データベース１５２を参照して、今回入力された目撃情報と合致する依頼内容情報が過去にあるか否かを判断する。ここで、ある場合は、ステップＳ３６に進み、なければステップＳ３７に進む（Ｓ３５）。
【００７１】
合致する依頼内容情報があった場合、目撃情報データベース１５２で管理されている目撃場所を参照して、過去の目撃場所と同一場所の地図情報を用いることができるか否かを判断する。ここで、同一場所の地図情報を用いることができれば、ステップＳ３８に進み、そうでなければステップＳ３７に進む（Ｓ３６）。
【００７２】
同一場所の地図情報を用いることができる場合は、提供情報データベース１５３で管理された地図情報を含む情報を抽出して、ステップＳ３９に進む（Ｓ３８）。
【００７３】
合致する依頼内容情報がなかった場合、地図選出手段１３７では、ステップＳ３２で抽出した目撃場所に対応した地図情報を、地図情報データベース１５４から選出する（Ｓ３７）。
【００７４】
図１９は、地図情報データベースが管理する地図情報の例である。
図のように、地図情報ごとに、例えば、管理番号、ファイル名、その地図が表示する住所、更新日時などが管理される。
【００７５】
この地図情報データベース１５４は、随時更新可能で、地図情報更新手段１４４により、インターネット３００を介して、図示しない地図提供サイトからの情報をもとに、最新の地図情報に更新される。
【００７６】
地図の選出が終わると、次に、マッピング情報作成手段１３８において、目撃情報ポイント処理を行う。ここでは、選出した地図をＷｅｂページ上に表示し、情報提供者に、目撃場所を例えば×印などで、マークさせる（Ｓ３９）。なお、目撃情報入力の際に、入力された目撃場所が詳細な場合には、これを自動的にマークして表示するようにしてもよい。次に、同一場所の地図情報で、過去の処理でマークされた目撃場所があれば、今回入力された目撃場所と合わせて、移動経路情報を作成する。このとき、Ｗｅｂページ上で、情報提供依頼先端末２１０−１〜２１０−ｎの画面に、例えば、移動経路を矢印などで、目撃場所をマークした地図上に表示させるようにしてもよい（Ｓ４０）。
【００７７】
次に、上記のようにして、マッピング情報作成手段１３８で、目撃情報を含めた地図情報を、情報登録手段１３９で、提供情報として提供情報データベース１５３に登録する（Ｓ４１）。
【００７８】
図２０、２１は、提供情報データベースが管理する提供情報の例を示す図である。
図のように提供情報データベース１５３は、例えば、提供情報ごとに、提供情報の管理番号と、そのファイル名、目撃場所、提供された日時（後述のステップＳ４６の処理で登録）と、関連する目撃情報番号（目撃情報データベース１５２の管理番号が記載）、関連する地図情報番号（地図情報データベース１５４の管理番号が記載）、関連する利用者情報番号（利用者情報データベース１２１の管理番号が記載）、情報を提供した関連情報提供依頼先情報番号（情報提供依頼先情報データベース１２２の管理番号が記載）、関連する依頼内容情報番号（依頼内容情報データベース１５１の管理番号が記載）及び、この提供情報の利用者への提供状況を管理している。
【００７９】
なお、上記の提供情報データベース１５３の例では、１つの提供情報に、１つの目撃情報を記載するように図示されているが、１つの依頼に対し複数の目撃情報ある場合には、例えば、目撃場所、目撃情報番号、地図情報番号などが複数入力される。
【００８０】
その後、経過時間監視手段１４０の時間のカウンタ値ｍを０に設定し（Ｓ４２）、目撃情報通知手段１４１で、依頼内容情報データベース１５１を参照して、情報提供を依頼した利用者端末２００−１〜２００−ｎ宛の目撃情報通知メールｍ２を作成し（Ｓ４３）、依頼内容情報データベース１５１を参照して、情報提供を依頼した利用者端末２００−１〜２００−ｎに送信する。なお、目撃情報がない場合でもその旨を通知する（Ｓ４４）。
【００８１】
図２２は、目撃情報通知メールの例を示す図である。
図のように、情報提供者名と、情報内容、目撃日時が記載され、目撃情報は、例えば、図のように行方不明ペット捜索支援サーバ１００が提供するＷｅｂページ上のアドレスが記載されており、利用者はこれをクリックすることで、行方不明ペットに関する、地図情報を含む提供情報を参照することができる。
【００８２】
また、地図情報を含む提供情報は、目撃情報通知メールｍ２に直接添付するようにしてもよい。
さらに、目撃情報通知メールｍ２には、情報提供者の広告スペースが設けられ、ここに例えば、情報提供依頼先情報データベース１２２に登録された、広告などを載せることができる。
【００８３】
図２３は、利用者端末の画面に表示される提供情報の例である。
図のように、目撃情報が例えば４件ある旨が表示され、目撃場所が×印で地図上に表示される。さらに、目撃場所が日付順に矢印で接続され、移動経路が表示される。ここで、最新の目撃場所を示すマークは、強調表示や、色づけされていてもよい。また、詳細情報参照欄４００において、目撃日時が記載された部分をマウスなどで選択することで、目撃情報ごとに、詳細な情報を確認することができる。ここで、詳細な情報とは、目撃情報データベース１５２の内容となり、例えば、図１８で示したように、目撃内容などが参照できる。
【００８４】
一方、目撃情報通知メールｍ２を送信すると、目撃情報通知メールｍ２が送信済みで経過時間監視処理中を示すために、フラグｆを１に設定する（Ｓ４５）。その後、目撃情報通知メールｍ２を送って、情報を提供した時刻を前述した提供情報データベース１５３に登録する（Ｓ４６）。
【００８５】
次に、フラグｆが０に設定されているか否かを判断する。フラグｆは、同一依頼内容に対して別の目撃情報が入力された場合に０に設定されるので、後述の処理の間に、目撃情報が入力されて０に設定された場合には、今回入力された目撃情報に対する目撃情報通知処理が終了する。フラグｆが１に設定されている場合は、ステップＳ４８に進む（Ｓ４７）。
【００８６】
次に、経過時間（単位は分である）をカウンタ値ｍ＋１で割った値が、例えば６０（１時間を示す）に達した場合は、ステップＳ４９に進み、そうでなければステップＳ４７に戻る（Ｓ４８）。
【００８７】
経過時間をカウンタ値ｍ＋１で割った値が６０に達した場合、カウンタ値ｍを１カウントアップする（Ｓ４９）。
なお、上記のステップＳ４８、４９は、カウンタ値ｍを６０分ごとにカウントアップするための処理である。
【００８８】
次に、依頼内容情報データベース１５１を参照して、利用者が指定した希望配布時間間隔（単位は時間である）を抽出する（Ｓ５０）。その後、前述したカウンタ値ｍを抽出した希望配布時間間隔で割って、その値が１であるか否かを判断する。ここで、１である場合には、ステップＳ５２に進み、そうでなければステップＳ４７に戻る（Ｓ５１）。
【００８９】
ステップＳ５１の処理で、目撃情報通知メールｍ２を送信してからの経過時間が、利用者が指定した希望配布時間間隔に達したと判断された場合は、依頼内容情報データベース１５１を参照して、例えば、図１３に示したように、捜索情報を確認して、ペットが発見されたか、それとも未だに捜索中かを判断する。ここで、発見された場合には、目撃情報通知処理を終了し、発見されておらず、捜索中の場合には、ステップＳ４２に戻る。
【００９０】
上記のような処理によって、利用者に分かりやすい目撃情報を提供することができる。
ペットが無事に発見保護された場合、利用者は、行方不明ペット捜索支援サーバ１００に発見された旨を通知する。このとき、捜索結果登録手段１４２は、依頼内容情報データベース１５１で管理されている捜索状況を“発見”とする。さらに、目撃情報を提供した、情報提供依頼先端末２１０−１〜２１０−ｎに結果報告メールｍ３を作成して送信する。
【００９１】
図２４は、結果報告メールの例を示す図である。
図のように、目撃情報を提供したペットが無事に保護された旨を通知する。
以上説明したようなペット捜索支援部の処理によって、ペットが行方不明になった場合に、ペットの目撃場所をマークした地図を、例えば飼い主は簡単に参照することができる。また、情報が集まればあつまるだけ、ペットの居場所を特定できる確率が上がることになり、飼い主としてはそれだけ安心感が高まる。
【００９２】
さらに、飼い主は、目撃情報を受け取ってからは自分の手で捜索をすることができ、ただ無為に待っているだけの時間を過ごすより精神的に安定できる。
なお、上記では、利用者端末２００−１〜２００−ｎ及び情報提供依頼先端末２１０−１〜２１０−ｎは、ＰＣであるとして説明したが、ＦＡＸ（Ｆａｃｓｉｍｉｌｅ）であってもよく、電子メールの代わりにＦＡＸを用いてもよい。
【００９３】
なお、上記の処理機能は、コンピュータによって実現することができる。その場合、行方不明ペット捜索支援サーバ１００が有すべき機能の処理内容を記述したプログラムが提供される。そのプログラムをコンピュータで実行することにより、上記処理機能がコンピュータ上で実現される。処理内容を記述したプログラムは、コンピュータで読取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｒｅｃｏｒｄａｂｌｅ）／ＲＷ（ＲｅＷｒｉｔａｂｌｅ）などがある。光磁気記録媒体には、ＭＯ（Ｍａｇｎｅｔｏ−Ｏｐｔｉｃａｌ  ｄｉｓｃ）などがある。
【００９４】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００９５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００９６】
（付記１）行方不明になったペットの目撃情報を管理して通知する目撃情報通知プログラムにおいて、
コンピュータを、
前記ペットを目撃した目撃場所を含む前記目撃情報を、目撃情報提供端末より受け取り登録する目撃情報登録手段、
前記目撃場所に応じて地図を選出する地図選出手段、
前記地図上に前記目撃場所を特定するマークを施した提供情報を作成する提供情報作成手段、
前記提供情報を通知する通知手段、
として機能させることを特徴とする目撃情報通知プログラム。
【００９７】
（付記２）前記通知手段は、所定時間経過しても、前記目撃情報を受け取らない場合には、前記目撃情報がない旨を通知することを特徴とする付記１記載の目撃情報通知プログラム。
【００９８】
（付記３）前記提供情報作成手段は、同一依頼に対する前記目撃情報が複数ある場合は、同一の前記地図上に、複数の前記目撃場所を特定した前記マークを施した前記提供情報を、作成することを特徴とする付記１記載の目撃情報通知プログラム。
【００９９】
（付記４）前記提供情報作成手段は、複数の前記マークを施した場合は、目撃日時順に区別し、前記ペットの予想移動経路を表示可能な提供情報を作成することを特徴とする付記３記載の目撃情報通知プログラム。
【０１００】
（付記５）行方不明になったペットの目撃情報を管理して通知する目撃情報通知方法において、
前記ペットを目撃した目撃場所を含む前記目撃情報を、目撃情報提供端末より受け取り登録し、
前記目撃場所に応じて地図を選出し、
前記地図上に前記目撃場所を特定するマークを施した提供情報を作成し、
前記提供情報を通知する
ことを特徴とする目撃情報通知方法。
【０１０１】
（付記６）行方不明になったペットの目撃情報を管理して通知する処理をコンピュータに機能させるプログラムを格納したコンピュータ読み取り可能な記録媒体において、
コンピュータを、
前記ペットを目撃した目撃場所を含む前記目撃情報を、目撃情報提供端末より受け取り登録する目撃情報登録手段、
前記目撃場所に応じて地図を選出する地図選出手段、
前記地図上に前記目撃場所を特定するマークを施した提供情報を作成する提供情報作成手段、
前記提供情報を通知する通知手段、
として機能させるプログラムを記録したコンピュータ読み取り可能な記録媒体。
【０１０２】
（付記７）行方不明になったペットの目撃情報の提供を依頼する情報提供依頼プログラムにおいて、
コンピュータを、
情報提供依頼がなされてからの経過時間を監視する経過時間監視手段、
前記ペットの行方不明場所及び、前記経過時間に応じて、前記目撃情報の提供を依頼する情報提供依頼先を選出する情報提供依頼先選出手段、
選出された前記情報提供依頼先に、前記目撃情報の提供を依頼する情報提供依頼手段、
として機能させることを特徴とする情報提供依頼プログラム。
【０１０３】
（付記８）行方不明になったペットの目撃情報の提供を依頼する処理をコンピュータに機能させるプログラムを格納したコンピュータ読み取り可能な記録媒体において、
コンピュータを、
情報提供依頼がなされてからの経過時間を監視する経過時間監視手段、
前記ペットの行方不明場所及び、前記経過時間に応じて、前記目撃情報の提供を依頼する情報提供依頼先を選出する情報提供依頼先選出手段、
選出された前記情報提供依頼先に、前記目撃情報の提供を依頼する情報提供依頼手段、
として機能させるプログラムを格納したコンピュータ読み取り可能な記録媒体。
【０１０４】
【発明の効果】
以上説明したように本発明によれば、飼い主は、ペットの目撃場所がマークされた地図をもとに、自らの手で捜索する機会が得られる。
【０１０５】
また、情報が集まればあつまるだけ、ペットの居場所を特定できる確率が上がることになり、飼い主としてはそれだけ安心感が高まる。
さらに、飼い主は、目撃情報を受け取ってからは自分の手で捜索をすることができ、ただ無為に待っているだけの時間を過ごすより精神的に安定できる。
【図面の簡単な説明】
【図１】本発明の実施の形態の原理を示す原理構成図である。
【図２】本発明の実施の形態の構成図である。
【図３】行方不明ペット捜索支援サーバのハードウェア構成例である。
【図４】利用者情報データベースに格納された利用者情報の例を示す図である（その１）。
【図５】利用者情報データベースに格納された利用者情報の例を示す図である（その２）。
【図６】情報提供依頼先情報データベースに格納された情報提供依頼先情報の例を示す図である（その１）。
【図７】情報提供依頼先情報データベースに格納された情報提供依頼先情報の例を示す図である（その２）。
【図８】ペット捜索支援部の詳細を説明する構成図である。
【図９】情報提供依頼の処理の流れを示すフローチャートである（その１）。
【図１０】情報提供依頼の処理の流れを示すフローチャートである（その２）。
【図１１】情報提供依頼入力フォームの例である。
【図１２】依頼内容情報データベースが管理する依頼内容情報の例である（その１）。
【図１３】依頼内容情報データベースが管理する依頼内容情報の例である（その２）。
【図１４】情報提供依頼メールの例である。
【図１５】目撃情報通知の処理の流れを示すフローチャートである（その１）。
【図１６】目撃情報通知の処理の流れを示すフローチャートである（その２）。
【図１７】目撃情報入力フォームの例である。
【図１８】目撃情報データベースで管理される目撃情報の例である。
【図１９】地図情報データベースが管理する地図情報の例である。
【図２０】提供情報データベースが管理する提供情報の例を示す図である（その１）。
【図２１】提供情報データベースが管理する提供情報の例を示す図である（その２）。
【図２２】目撃情報通知メールの例を示す図である。
【図２３】利用者端末の画面に表示される提供情報の例である。
【図２４】結果報告メールの例を示す図である。
【符号の説明】
１０  目撃情報通知サーバ
１１  目撃情報登録手段
１１ａ  目撃情報データベース
１２  地図選出手段
１２ａ  地図情報データベース
１３  提供情報作成手段
１３ａ  提供情報データベース
１４  通知手段
２０−１、２０−２、…、２０−ｎ  目撃情報提供端末
２１  情報依頼端末
２１ａ  画面
【図１】
2004287895.tif 000003
【図２】
2004287895.tif 000004
【図３】
2004287895.tif 000005
【図４】
2004287895.tif 000006
【図５】
2004287895.tif 000007
【図６】
2004287895.tif 000008
【図７】
2004287895.tif 000009
【図８】
2004287895.tif 000010
【図９】
2004287895.tif 000011
【図１０】
2004287895.tif 000012
【図１１】
2004287895.tif 000013
【図１２】
2004287895.tif 000014
【図１３】
2004287895.tif 000015
【図１４】
2004287895.tif 000016
【図１５】
2004287895.tif 000017
【図１６】
2004287895.tif 000018
【図１７】
2004287895.tif 000019
【図１８】
2004287895.tif 000020
【図１９】
2004287895.tif 000021
【図２０】
2004287895.tif 000022
【図２１】
2004287895.tif 000023
【図２２】
2004287895.tif 000024
【図２３】
2004287895.tif 000025
【図２４】
2004287895.tif 000026